(57)【要約】      （修正有）【課題】筆記体の交換が簡単にでき、出没作動がスムーズなスライド式の多芯筆記具を提供する。【解決手段】前軸２と後軸３を着脱自在に装着した軸筒本体内に複数の筆記体１３，１５を配設し、各筆記体の後方に配設した摺動体６，７を弾発部材１１，１２により軸筒後端方向に付勢して配設し、一方の摺動体６を軸筒先端開口部方向にスライドすることにより、一方の筆記体１３の筆記先端部を軸筒先端開口部２ａから突出した状態を維持し、他の摺動体７を軸筒先端方向にスライドせしめることで、一方の筆記体の筆記先端部を軸筒先端開口部２ａより没入可能とし、前記各摺動体６，７の前方に、筒状体９，１０を連接し、前記筆記体１３，１５を、前記筒状体９，１０に着脱自在に装着するとともに、前記筆記体１３，１５が没入した状態で、前記筒状体９，１０の先端面が、前記後軸３の先端面と面一又は後軸の先端面よりも前方に位置することを特徴とする。【選択図】図３
2011011512.tif 000002
【特許請求の範囲】
【請求項１】
前軸と後軸を着脱自在に装着した軸筒本体内に複数の筆記体を配設し、各筆記体の後方に配設した摺動体を弾発部材により軸筒後端方向に付勢して配設するとともに、一方の摺動体を軸筒先端開口部方向にスライドすることにより、一方の筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記各摺動体の前方に、前記筆記体を被覆可能な筒状体を連接し、前記筆記体を、前記筒状体に着脱自在に装着するとともに、前記筆記体が没入した状態で、前記筒状体の先端面が、前記後軸の先端面と面一又は後軸の先端面よりも前方に位置することを特徴とするスライド式の多芯筆記具。
【請求項２】
前記筒状体が、内部に、内径の小さい第１保持部と、前記第１保持部よりも前方に、前記第１保持部よりも内径の大きい第２保持部を有することを特徴とする請求項１に記載のスライド式の多芯筆記具。
【請求項３】
前記筒状体が、透明又は半透明の樹脂材料から形成してあることを特徴とする請求項１または２に記載のスライド式の多芯筆記具。
【発明の詳細な説明】
【技術分野】
【０００１】
本発明は、軸筒内に複数の筆記体を配設したスライド式の多芯筆記具に関する。
【背景技術】
【０００２】
従来から、スライド式の多芯筆記具として、例えば、図１から図２に示すように、一方の摺動体６の隆起部６ａを前軸２の先端開口部２ａ方向にスライドすることにより、摺動体６の後端部に形成した係止部６ｂを軸筒に形成した止め部３ａに係止して、筆記体１３の筆記先端部１４を先端開口部２ａから突出した状態を維持し、他方の摺動体７の隆起部７ａを前軸２の先端開口部２ａ方向にスライドせしめることで、他方の摺動体７の解除突起７ｃが一方の摺動体６に当接するとともに、止め部３ａに係止していた一方の摺動体６の係止部６ｂを係脱させ、一方の筆記先端部１４を先端開口部２ａより没入させ、さらに他方の摺動体７を前進することにより他方の係止部７ｂが止め部３ａに係止して筆記体１５の筆記先端部１６の突出状態を維持する、筆記先端部を選択して出没可能な出没機構を有する、ボールペンレフィル等、複数の筆記体を軸筒内に収容した構造のスライド式の多芯筆記具は良く知られている。
【０００３】
こうしたスライド式の多芯筆記具は、各筆記体を摺動体と連動可能、且つ筆記体の摺動をスムーズに行うため、摺動体と筆記体を着脱自在に連接している。そのため、筆記体を交換するには、前軸を取り外して、筆記体を摺動体から取り外し、摺動体と新たな筆記体を係合する必要があるが、摺動体及び筆記体は、軸筒本体の軸心からずれた位置であるために対応する摺動体に筆記体を合わせ連接することは、非常に困難であった。
【０００４】
こうした問題を鑑みて、特開２００８−３６９１９号公報「多芯筆記具」では、後軸内に、各筆記体に対応して複数の孔によって区画した区画部材（詰め栓）を固着し、この区画部材のガイド孔を連通して筆記体を配設することで、筆記体と摺動体を係合し易くすることが開示されているが、筆記体の出没作動を考慮して、区画部材は後軸の先端面から離間した位置に配設してあり、筆記体の交換性において満足のいくものではなかった。
【０００５】
ところで、スライド式の多芯筆記具は、摺動体を前進することで、筆記体を軸筒の先端開口部から突出することができるが、各筆記体は、前述の通り、軸筒の軸心から偏心した位置に配設しているために、特許第３４２９７１７号「ボールペン体を含む多芯筆記具」に開示しているように、筆記体の筆記先端部は、軸筒先端部の内壁に当接して、軸筒の先端開口部方向へ移動する。
【先行技術文献】
【特許文献】
【０００６】
【特許文献１】「特開２００８−３６９１９号公報」
【特許文献２】「特許第３４２９７１７号公報」
【発明の概要】
【発明が解決しようとする課題】
【０００７】
そのため、筆記体の交換性を考慮して、単に区画部を軸筒の先端側に移動すると、区画部から突出する筆記体の軸方向の長さが短くなり、軸筒先端部の内壁に当接して、筆記体の筆記先端部を軸筒の先端開口部方向へ移動する距離も短くなり、急激に軸筒の先端開口部方向へ矯正されるため、スムーズな出没作動ができない恐れがある。
【０００８】
本発明の目的は、上述した従来の問題点等に鑑み、筆記体の交換が簡単にでき、出没作動がスムーズなスライド式の多芯筆記具を提供することである。
【課題を解決するための手段】
【０００９】
本発明は、前軸と後軸を着脱自在に装着した軸筒本体内に複数の筆記体を配設し、各筆記体の後方に配設した摺動体を弾発部材により軸筒後端方向に付勢して配設するとともに、一方の摺動体を軸筒先端開口部方向にスライドすることにより、一方の筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記各摺動体の前方に、前記筆記体を被覆可能な筒状体を連接し、前記筆記体を、前記筒状体に着脱自在に装着するとともに、前記筆記体が没入した状態で、前記筒状体の先端面が、前記後軸の先端面と面一又は後軸の先端面よりも前方に位置することを特徴とする。
【００１０】
また、前記筒状体が、内部に、先端側の第１保持部と、該第１保持部よりも後方に、前記第１保持部よりも内径の小さい第２保持部を有することを特徴とする。
【００１１】
また、前記筒状体が、透明又は半透明の樹脂材料から形成してあることを特徴とする。
【００１２】
本願発明の構成によれば、各摺動体の前方に、前記筆記体の後端部を被覆する筒状体を連接し、筆記体が没入した状態で、前記筒状体の先端面が、前記後軸の先端面と面一又は前記後軸の先端面よりも前方に位置しているため、前軸を取り外して筆記体を交換する時に、筒状体の先端開口部から筆記体を挿入し易く、従来の構造に比べ、交換作業を容易にすることが可能になる。さらに、交換する摺動体を前進せしめることで、筒状体も連動して前進するので、交換性をさらに高めることができる。
【００１３】
また、前記筒状体が、内部に、内径の小さい第１保持部と、前記第１保持部よりも前方に、前記第１保持部よりも内径の大きい第２保持部を有することによって、第１保持部に外径が小さく長い筆記体を、第２保持部に外径が大きく短い筆記体の、外径及び全長の異なる２種類の筆記体を装着することができる。
【００１４】
また、前記筒状体が、透明又は半透明の樹脂材料から形成することにより、インキ収容筒内のインキ残量を外部から視認でき、金属材料のような硬質材に比べ、可撓性を有するので、出没作動がスムーズになる。
【発明の効果】
【００１５】
本発明は、筆記体の交換が簡単にでき、出没作動がスムーズなスライド式の多芯筆記具を提供することができた。
【図面の簡単な説明】
【００１６】
【図１】実施例１におけるスライド式の多芯筆記具を示す要部縦断面図である。
【図２】図１における一方の筆記体の筆記先端部が突出した状態を示す図である。
【図３】図１における前軸を取り外した状態を示す図である。
【図４】摺動体及び筒状体を示す要部拡大断面図である。
【発明を実施するための形態】
【００１７】
以下、図面を参照して本発明の実施例を説明する。尚、図面中同じ部材、同じ部品については同じ番号を付してある。
【実施例１】
【００１８】
図１から図４に示すように、実施例１のスライド式の多芯筆記具１は、前軸２の後端に後軸３を螺着し、軸筒本体を構成し、この軸筒本体内に色の異なるインキ（図示せず）をインキ収容管に収容したボールペンレフィルである筆記体１３、１５を収納してある。
【００１９】
また、後軸３には軸心方向に沿って延びる、外方に開口した摺動溝４、５を形成してあり、この摺動溝４、５に、インキ色と同色の摺動体６、７を摺動可能に配設する。摺動体６、７には隆起部６ａ、７ａが設けてあり、この隆起部６ａ、７ａを、摺動溝４、５から後軸３の外周面より突出した状態で、区画部材８の後部に配設した弾発部材１１、１２により後方に付勢させて配設してある。
【００２０】
一方の筆記体１３を使用するには、選択した一方の摺動体６の隆起部６ａを前軸２の先端開口部２ａ方向に前進せしめることで、摺動体６に形成した係止部６ｂが後軸３の内部に形成した止め部３ａに係止して、筒状体９を前進せしめ、筆記体１３の筆記先端部１４を、前軸２の先端開口部２ａから選択して突出することができる。この時、筆記先端部１４は、前軸２の内壁に当接して、前軸２の先端開口部２ａ方向へ移動して突出する。
【００２１】
また、筆記体１３の筆記先端部１４を突出した状態で、他方の摺動体７の隆起部７ａを前軸２の先端開口部２ａ方向に前進せしめることにより、他方の解除突起７ｃによって、止め部３ａに係止している一方の係止部６ｂを解除して、摺動体６に連接した筆記体１３の筆記先端部１４を前軸２内に没入することができる。
【００２２】
各摺動体６、７の前方には、筒状体１０、１１を連接し、筒状体１０、１１内に、筆記体１３、１５を着脱自在に圧入装着してある。筒状体１０、１１は、筆記体１３、１５が没入した状態で、先端面１０ａ、１１ａが、後軸３の先端面３ｂよりも前方に位置する。
【００２３】
また、後軸３内に、各筒状体１０、１１に対応して区画した貫通孔を有する区画部材８を固設し、筒状体１０、１１を、区画部材８を連通して装着しているので、出没作動をよりスムーズにすることができ、筆記体の交換も安定してできる。
【００２４】
筆記体を交換するには、先ず、前軸２を後軸３から取り外し、所望する筆記体、例えば筆記体１３を筒状体９から取り外す。その後、新たな筆記体を筒状体９に、着脱自在に装着して交換を行う。この時、筒状体９の先端面９ａが後軸３の先端面３ｂよりも前方に位置するので、交換作業が容易である。
【００２５】
また、筒状体１０には、後端部に内径Ｇの小さい第１保持部１０ｂと、第１保持部１０ｂよりも前方に、第１保持部１０ｂよりも大きい内径Ｈの第２保持部１０ｃを形成し、第１保持部１０ｂと第２保持部１０ｃの径差による段部１０ｅが形成される。そのため、筆記体１５は、第１保持部１０ｂに装着してあるが、筆記体１５よりも外径が太く、筆記体１５の長さＬよりも短い長さＭの筆記体（図示せず）を、筒状体１０の第２保持部１０ｃに装着することができる。筒状体９も筒状体１０と同様に、第１保持部と第２保持部を形成してある。
【００２６】
尚、摺動体に筒状体を連接する構造は、乗り越し嵌合、圧入嵌合、接着等、特に限定されるものでないが、筆記体の取り外しの時に、摺動体から筒状体が外れないように、摺動体と筒状体との装着力を筆記体と筒状体と装着力よりも高くし、摺動体と筒状体とを固着することが最も好ましい。また、筒状体に筆記体を挿嵌する方法も圧入嵌合、乗り越し嵌合等、着脱自在に挿嵌してあれば特に限定されるものではない。
【産業上の利用可能性】
【００２７】
本発明のスライド式の多芯筆記具は、筆記体の数、筆記体に収容するインキ色、インキの種類等に限定されるものでなく、ボールペン３本や４本など、スライド式の多芯筆記具として広く利用可能である。
【符号の説明】
【００２８】
１  スライド式の多芯筆記具
２  前軸
２ａ  先端開口部
３  後軸
３ａ  止め部
３ｂ  被当接凸部
３ｃ  先端面
４、５  摺動溝
６、７  摺動体
６ａ、７ａ  隆起部
７ｂ、７ｂ  係止部
７ｃ、７ｃ  解除突起
８  区画部材
９、１０  筒状体
９ａ、１０ａ  先端面
９ｂ、１０ｂ  第１保持部
９ｃ、１０ｃ  第２保持部
１１、１２  弾発部材
１３、１５  筆記体
１４、１６  筆記先端部
【図１】
2011011512.tif 000003
【図２】
2011011512.tif 000004
【図３】
2011011512.tif 000005
【図４】
2011011512.tif 000006